(57)【要約】【課題】光健康維持法の実施中における被験者の移動の自由度を確保して被験者のストレスを軽減させること。【解決手段】ゴーグル部２と、ゴーグル部２を被験者の顔面に保持する保持部としてのヘッドホン部３と、を有し、ゴーグル部２は、被験者がゴーグル部２を装着した状態で被験者の眼に光を照射する照射部５を有し、ヘッドホン部３は、音、風、または香りのいずれか１つまたは複数を発生する手段を有する光照射装置１を構成する。【選択図】図１
2013236812.tif 000002
【特許請求の範囲】
【請求項１】
ゴーグル部と、
前記ゴーグル部を被験者の顔面に保持する保持部と、
を有し、
前記ゴーグル部は、被験者が前記ゴーグル部を装着した状態で被験者の眼に光を照射する照射部を有し、
前記保持部は、音、風、または香りのいずれか１つまたは複数を発生する手段を有する、
ことを特徴とする光照射装置。
【請求項２】
請求項１記載の光照射装置であって、
前記ゴーグル部、前記保持部、および前記ゴーグル部と前記保持部との間に光路を有する光ファイバケーブルを有し、
前記ゴーグル部は、前記光ファイバケーブルの一端から出射される光を入射して被験者が前記ゴーグル部を装着した状態で被験者の眼に光を照射する照射部を有し、
前記保持部は、前記光ファイバケーブルの他端に光を入射させる光源とスピーカとを有する、
ことを特徴とする光照射装置。
【請求項３】
請求項１または２記載の光照射装置であって、
前記保持部は、前記被験者に装着された状態で、前記被験者の頬に対して送風する送風部を有する、
ことを特徴とする光照射装置。
【請求項４】
請求項３記載の光照射装置であって、
前記送風部は、
送風する空気を暖めるヒータと、
前記ヒータを稼動状態または非稼動状態に切替えるスイッチと、
を有する、
ことを特徴とする光照射装置。
【請求項５】
請求項１または２記載の光照射装置であって、
前記照射部の照射開始から所定時間ｔ１秒が経過するまでは照度が漸次増加し、前記照射開始の時刻を基準として設定される照射終了予定時刻の所定時間ｔ２前からは照度が漸次減少するように制御する制御手段を有する、
ことを特徴とする光照射装置。
【請求項６】
請求項５記載の光照射装置であって、
前記照射部の照射開始から前記所定時間ｔ１よりも短い所定時間ｔ３が経過するまでの照度の増加率と前記所定時間ｔ３が経過した後から前記所定時間ｔ１が経過するまでの照度の増加率とは前者が後者よりも小さくなるように制御する制御手段を有する、
ことを特徴とする光照射装置。
【請求項７】
請求項５記載の光照射装置であって、
前記照射部の照射開始から照射終了までに照射される光の色を変更する制御手段を有する、
ことを特徴とする光照射装置。
【請求項８】
請求項２記載の光照射装置であって、
前記保持部は、前記光ファイバケーブルの他端に前記光源から出射する光を反射させて入射させる鏡を有し、
前記光ファイバケーブルの他端と前記光源とは双方共に前記鏡の方向を向いてほぼ同軸上に配置される、
ことを特徴とする光照射装置。
【請求項９】
請求項８記載の光照射装置であって、
前記保持部は、前記光源を複数有する、
ことを特徴とする光照射装置。
【請求項１０】
請求項１から９のいずれか１項に記載の光照射装置であって、
前記保持部は、被験者の耳穴内部の体温を測定する測温部と、
を有し、
前記測温部の測定結果に基づいて光の照射終了時刻を変更する制御手段を有する、
ことを特徴とする光照射装置。
【請求項１１】
請求項１から１０のいずれか１項に記載の光照射装置であって、
前記制御手段に対して遠隔操作により指示を与える遠隔操作手段を有する、
ことを特徴とする光照射装置。
【請求項１２】
請求項１から１１のいずれか１項に記載の光照射装置であって、
被験者の眼の開閉状態を検出する眼の開閉状態検出手段を有し、
前記眼の開閉状態検出手段が検出した眼の開閉状態の時間を積算して前記照射終了予定時刻をこの積算時間分延長し、前記眼の開閉状態検出手段が閉眼状態を所定時間以上検出したときには警報を発出するように制御する制御手段を有する、
ことを特徴とする光照射装置。
【請求項１３】
請求項１から１２のいずれか１項に記載の光照射装置であって、
被験者の眼球の動きを検出する眼球位置検出手段を有し、
前記照射部の光の照射位置を前記眼球の動きに追従させるように制御する制御手段を有する、
ことを特徴とする光照射装置。
【発明の詳細な説明】
【技術分野】
【０００１】
本発明は、光照射装置に関する。
【背景技術】
【０００２】
人の生体リズム（体内時計）は、高照度の光の照射を受けることによってリセットされることが知られている。したがって、高照度光の照射は、不規則な睡眠習慣やシフト勤務、時差ボケなどによる生体リズムの異常の改善に有効である。以下の説明では、このような生体リズムの異常の改善のために高照度光を照射する行為を光健康維持法と称することにする。さらに、光健康維持法は、季節性感情障害、内因性うつ病、概日リズム睡眠障害などの治療にも利用されることがある。たとえば特許文献１に記載されている光照射装置では、被験者の前方に置かれた光源からの光を被験者は決められた時刻に決められた時間分の照射を受ける。
【先行技術文献】
【特許文献】
【０００３】
【特許文献１】特許第３６４８８０２号
【発明の概要】
【発明が解決しようとする課題】
【０００４】
上述のような光照射装置では、被験者は、毎日２〜３時間にわたり高い照度で光の照射を受ける。この間、被験者は、自分の前方に置かれた光源から離れることができない。これでは日常生活をしながらの治療は困難である。また、長時間光源をただ見つめているだけでは、被験者は、光健康維持法に飽きてしまう。
【０００５】
本発明は、このような背景の下に行われたものであって、光健康維持法の実施中における被験者の移動の自由度を確保して被験者のストレスを軽減させることができる光照射装置を提供することを目的とする。
【課題を解決するための手段】
【０００６】
本発明の光照射装置は、ゴーグル部と、ゴーグル部を被験者の顔面に保持する保持部と、を有し、ゴーグル部は、被験者がゴーグル部を装着した状態で被験者の眼に光を照射する照射部を有し、保持部は、音、風、または香りのいずれか１つまたは複数を発生する手段を有するものである。このときに、ゴーグル部、保持部、およびゴーグル部と保持部との間に光路を有する光ファイバケーブルを有し、ゴーグル部は、光ファイバケーブルの一端から出射される光を入射して被験者がゴーグル部を装着した状態で被験者の眼に光を照射する照射部を有し、保持部は、光ファイバケーブルの他端に光を入射させる光源とスピーカとを有することができる。
【０００７】
さらに、保持部は、被験者に装着された状態で、被験者の頬に対して送風する送風部を有することができる。このときに、送風部は、送風する空気を暖めるヒータと、ヒータを稼動状態または非稼動状態に切替えるスイッチと、を有することができる。
【０００８】
本発明の光照射装置は、照射部の照射開始から所定時間ｔ１秒が経過するまでは照度が漸次増加し、照射開始の時刻を基準として設定される照射終了予定時刻の所定時間ｔ２前からは照度が漸次減少するように制御する制御手段を有することができる。このときに、照射部の照射開始から所定時間ｔ１よりも短い所定時間ｔ３が経過するまでの照度の増加率と所定時間ｔ３が経過した後から所定時間ｔ１が経過するまでの照度の増加率とは前者が後者よりも小さくなるように制御する制御手段を有するようにしてもよい。さらに、照射部の照射開始から照射終了までに照射される光の色を変更する制御手段を有するようにしてもよい。
【０００９】
あるいは、本発明の光照射装置は、保持部は、光ファイバケーブルの他端に光源から出射する光を反射させて入射させる鏡を有し、光ファイバケーブルの他端と光源とは双方共に鏡の方向を向いてほぼ同軸上に配置されるようにすることができる。さらに、このときに、保持部は、光源を複数有するようにしてもよい。
【００１０】
また、本発明の光照射装置は、保持部は、被験者の耳穴内部の体温を測定する測温部を有し、測温部の測定結果に基づいて光の照射終了時刻を変更する制御手段を有することができる。
【００１１】
また、本発明の光照射装置は、制御手段に対して遠隔操作により指示を与える遠隔操作手段を有することが好ましい。
【００１２】
さらに、本発明の光照射装置は、被験者の眼の開閉状態を検出する眼の開閉状態検出手段を有し、眼の開閉状態検出手段が検出した眼の開閉状態の時間を積算して照射終了予定時刻をこの積算時間分延長し、眼の開閉状態検出手段が閉眼状態を所定時間以上検出したときには警報を発出するように制御する制御手段を有することができる。
【００１３】
あるいは、本発明の光照射装置は、被験者の眼球の動きを検出する眼球位置検出手段を有し、照射部の光の照射位置を眼球の動きに追従させるように制御する制御手段を有することができる。
【発明の効果】
【００１４】
本発明によれば、光健康維持法の実施中における被験者の移動の自由度を確保して被験者のストレスを軽減させることができる。
【図面の簡単な説明】
【００１５】
【図１】本発明の第一の実施の形態に係る光照射装置の外観構成を示す図である。
【図２】図１に示す光照射装置を被験者が装着した状態を示す図である。
【図３】図１の光照射装置の内部構成を示すブロック構成図である。
【図４】図３の制御部で行われる照度調整制御を説明するための図であり、照度の経時変化を示す図である。
【図５】図３の制御部で行われる光色切替制御を説明するための図であり、光色の経時変化を示す図である。
【図６】本発明の第二の実施の形態に係る光照射装置の光源の構成を説明するための図である。
【図７】本発明の第三の実施の形態に係る光照射装置の光源の構成を説明するための図である。
【図８】本発明の第四の実施の形態に係る光照射装置の内部構成を示すブロック構成図である。
【図９】本発明の第五の実施の形態に係る光照射装置の内部構成を示すブロック構成図である。
【発明を実施するための形態】
【００１６】
（第一の実施の形態）
本発明の第一の実施の形態に係る光照射装置１は、図１〜図３に示すように、ゴーグル部２、保持部の一例であるヘッドホン部３、およびゴーグル部２とヘッドホン部３との間に光路を有する光ファイバケーブル４，４を有する。ゴーグル部２は、光ファイバケーブル４，４の一端から出射される光を入射して被験者Ｍがゴーグル部２を装着した状態で被験者の眼に光を照射する照射部５，５を有する。
【００１７】
光照射装置１をこのように構成することにより、光照射装置１は、軽量かつ小型であり、さらに、光健康維持法実施中であっても被験者Ｍの視界を妨げることが無いので、被験者Ｍは、光健康維持法の実施中であっても光照射装置１を装着した状態のまま移動が可能になる。また、ゴーグル部２は、図２に示すように、被験者Ｍの瞼の上方に照射部５を有する。これによれば、光照射装置１が被験者Ｍの移動を妨げることなく、また、照射部５が被験者Ｍの視界を妨げることなく、光健康維持法を実施できる。これにより光健康維持法の実施中における被験者Ｍの移動の自由度を確保して被験者Ｍのストレスを軽減させることができる。なお、以下に説明する全ての事項においても光健康維持法の実施中における被験者Ｍの移動の自由度を確保して被験者Ｍのストレスを軽減させることができるが、以下では、それ以外の顕著な効果について説明する。
【００１８】
また、ヘッドホン部３は、図３に示すように、光ファイバケーブル４，４の他端に光を入射させるＬＥＤ(Light Emitting Diode)である光源６，６とスピーカ７，７とを有する。これによれば、照射部５には光源６を有さないので、照射部５を軽量化および小型化することできる。したがって、照射部５を有するゴーグル部２を軽量化することができるので、被験者Ｍは、快適なゴーグル部２の装着感を得ることができる。
【００１９】
さらに、ヘッドホン部２は、被験者Ｍに装着された状態で、被験者Ｍの頬に対して送風する送風部８，８を有する。また、送風部８，８は、モータ９、９と、モータ９，９によって回転させられるファン１０，１０と、送風する空気を暖めるヒータ１１，１１とを有する。また、ヒータ１１，１１を稼動状態（ＯＮ状態）または非稼動状態（ＯＦＦ状態）に切替えるスイッチ（不図示）をリモコン操作部１２に有する。また、ヘッドホン部３には、ファン１０，１０によって発生する風が外部に出て行くように、送風孔１３が設けられている。
【００２０】
これによれば被験者Ｍは、光健康維持法の実施中に、スピーカ７から自分の好みの音楽や効果音（せせらぎ音や野鳥の声など）を聞くことができる他に、送風孔１３からの冷風または温風を頬に受けることによる刺激を感じることができる。たとえば気温が高い環境であればヒータ１１，１１を非稼動状態にすることによって、被験者Ｍの頬には冷風が送風される。また、気温が低い環境であればヒータ１１，１１を稼動状態にすることによって、被験者Ｍの頬には温風が送風される。これによれば、被験者Ｍは、光治療中に被験者Ｍの好む音楽や効果音により気を紛らわすことができると共に、冷風または温風の刺激を頬に感じることができるので、光健康維持法に飽きることを避けることができる。
【００２１】
また、ヘッドホン部３は、特定の香り成分を染み込ませた香りの発生手段を送風孔１３の内側などに備えるようにしてもよい。たとえば図３に示すように、被験者Ｍの精神状態をリラックスさせる効果を有するハーブの香りやシナモン、香木などの香りを発生させる香りの発生手段として香料を染み込ませたフェルトＦなどを送風孔１３の内側（送風孔１３とヒータ１１との間など）に有し、送風部８が発生する気流に乗せて被験者Ｍの鼻に届けるようにしてもよい。これによれば、光と風に加え、香りによっても被験者Ｍの光健康維持法の有効性を高めることができる。なお、図３、図８、図９におけるフェルトＦの図示は、説明を分かり易くするためであり、フェルトＦ（すなわち香りの発生手段）を必須の構成要件として限定するものではない。
【００２２】
また、光照射装置１のバッテリ１４は、リモコン操作部１２に内蔵されている。これによれば、バッテリ１４の重量によって、ゴーグル部２またはヘッドホン部３の重量が増えることを避けることができる。これによれば、被験者Ｍは、快適なゴーグル部２およびヘッドホン部３の装着感を得ることができる。なお、バッテリ１４とその電力の供給先である光源６，６、スピーカ７，７、送風部８，８のモータ９，９、ヒータ１１，１１との結線については図示を省略してある。
【００２３】
また、図３に示すように、ヘッドホン部３は、制御部１５を有する。制御部１５には、光源６，６、スピーカ７，７、送風部８，８のモータ９，９、ヒータ１１，１１、リモコン操作部１２が接続されている。制御部１５は、コンピュータの一例であり、ＣＰＵ（Central Processing Unit）、ＡＳＩＣ（Application Specific Integrated Circuit）、マイクロプロセッサ（マイクロコンピュータ）、ＤＳＰ（Digital Signal Processor）などにより構成され、内部に、演算部、メモリ、およびＩ／Ｏ（Input/Output）ポートなどを有する。なお、制御部１５によって実行されるプログラムは、制御部１５の内部の不揮発性のメモリにあらかじめ記憶しておくことで、コンピュータである制御部１５にあらかじめインストールしておくことができる。
【００２４】
制御部１５がプログラムを実行すると、制御手段の機能が実現され、制御部１５に接続されている光源６，６、スピーカ７，７、送風部８，８のモータ９，９、ヒータ１１，１１は、制御部１５によって制御される。また、制御部１５は、リモコン操作部１２からの指示に基づいて各種制御を実施する。たとえば制御部１５は、リモコン操作部１２からの指示によって自己が稼動状態または非稼動状態になり、これに伴い光源６からの光の照射を開始または終了させる。または、制御部１５は、リモコン操作部１２からの指示によって、予めメモリ（不図示）に記憶されている音楽や効果音をスピーカ７，７に送出する。あるいは、制御部１５は、リモコン操作部１２からの指示によって、送風部８やヒータ１３を稼動状態または非稼動状態にする。
【００２５】
次に、制御部１５によって調整される光源６の照度について図４を参照しながら説明する。光照射装置１は、上述したように、季節性感情障害、内因性鬱病、睡眠覚醒リズム障害、または時差ボケなどの生体リズム（体内時計）異常の改善のため、被験者に対して光を照射するものである。図４の左側の「０」点から光健康維持法のための光の照射が開始され、図４の右側の「０」点（すなわち横軸に達する点）で光の照射は終了する。
【００２６】
図４の例では、制御部１５は、照射部５，５の照射開始から所定時間ｔ１が経過するまでは照度が漸次増加し、照射開始の時刻を基準として設定される照射終了予定時刻の所定時間ｔ２前からは照度が漸次減少し、所定時間ｔ２は、所定時間ｔ１よりも短く設定されるように制御する。さらに、制御部１５は、照射部５，５の照射開始から所定時間ｔ１よりも短い所定時間ｔ３が経過するまでの照度の増加率α％と所定時間ｔ３が経過した後から所定時間ｔ１が経過するまでの照度の増加率β％とは前者（α％）が後者（β％）よりも小さくなるように制御する。
【００２７】
これによれば、照射開始時には被験者Ｍの眼が未だ明るさに慣れていないので、緩やかな照度の増加率（α％）とし、その後、やや大きな照度の増加率（β％）とすることができる。これにより照射開始時には被験者Ｍの眼に優しい照度変化としつつも光健康維持法の時間が長引くことを避けるために時刻ｔ３からは照度の増加率を少し高めとすることができる。また、照射終了予定時刻に向かって時刻ｔ２から照度を徐々に減少させることにより、被験者Ｍの眼を通常の明るさに徐々に慣れさせることができる。
【００２８】
また、図５に示すように、制御部１５は、照射部５の照射開始から照射終了までに照射される光量のうちで所定の光量に達するまで（たとえば時刻ｔ４まで）は黄色光を照射し、それ以降は白色光を照射し、照射終了予定時刻の所定時間前（たとえば時刻ｔ５）から再び黄色光を照射するように制御する。これによれば、被験者Ｍは、朝焼けに多く含まれる黄色光から日中に多く含まれる白色光を経て再び夕焼けに多く含まれる黄色光と照射光の色が変化することにより、擬似的に一日の太陽光の変化を体感することができる。これにより被験者Ｍは、自然の光色の変化に則した光色の変化により不自然な感覚を覚えずに光健康維持法を実施することができる。なお、照射部５から照射される光の色を変えるには、たとえば光源６を２色発光のＬＥＤとし、制御部１５は、２色発光のうちのいずれかの発光色を選択するように制御すればよい。もしくは、光源６をＲＧＢ（赤緑青）の３色発光のＬＥＤとし、制御部１５は、３色の発光を調整して所望する発光色を得られるように制御すればよい。
【００２９】
（第二の実施の形態）
本発明の第二の実施の形態に係る光照射装置１Ａについて、図６を参照しながら説明する。光照射装置１Ａは、光照射装置１とは一部が異なる。以下では、光照射装置１Ａの光照射装置１とは異なる部材について主に説明し、共通する部材についての説明は省略または簡略化する。
【００３０】
光照射装置１Ａのヘッドホン部３Ａは、光ファイバケーブル４，４の他端に光源６Ａ，６Ａから出射する光を反射させて入射させる鏡１６Ａ，１６Ａを有する。このとき、光ファイバケーブル４，４の他端と光源６Ａ，６Ａとは双方共に鏡１６Ａ，１６Ａの方向を向いてほぼ同軸上に配置されるようにする。これによれば、光照射装置１では、互いに対向して配置されている光ファイバケーブル４の他端と光源６とを、光照射装置１Ａでは、光ファイバケーブル４の他端と光源６Ａとを縦一列または横一列に並べ、鏡１６Ａに向けて配置することができる。ここで鏡１６Ａの厚さは、ごく薄くすることが可能であるため、光ファイバケーブル４の他端と光源６Ａとを縦一列または横一列に並べることで、光ファイバケーブル４の他端と光源６とが互いに対向して配置されている光照射装置１と比べると、光源６Ａの配置に必要なスペースを小さくすることができる。これにより光照射装置１Ａのヘッドホン部３Ａは、光照射装置１のヘッドホン部３と比べて小型化することができる。
【００３１】
（第三の実施の形態）
本発明の第三の実施の形態に係る光照射装置１Ｂについて、図７を参照しながら説明する。光照射装置１Ｂは、光照射装置１Ａとは一部が異なる。以下では、光照射装置１Ｂの光照射装置１Ａとは異なる部材について主に説明し、共通する部材についての説明は省略または簡略化する。
【００３２】
光照射装置１Ｂは、１つの光ファイバケーブル４の他端に対して２つの光源６Ｂ，６Ｃおよび２枚の鏡１６Ｂ，１６Ｃを配置したものである。図７において、光源６Ｃ，６Ｃと鏡１６Ｃ，１６Ｃは、光照射装置１Ａと同じ働きをする。一方、図７において、光源６Ｂ，６Ｂから出射した光が鏡１６Ｂ，１６Ｂに反射してできる光路は、光源６Ｃ，６Ｃとほぼ同じ光路を通るように配置されている。これにより光ファイバケーブル４の他端には、２つの光源６Ｂ，６Ｃから出射される光が重畳されて入射する。これによれば光ファイバケーブル４の一端から出射されて照射部５に入射される光量を光照射装置１Ａに比べて増加させることができる。
【００３３】
（第四の実施の形態）
本発明の第四の実施の形態に係る光照射装置１Ｃについて、図８を参照しながら説明する。光照射装置１Ｃは、光照射装置１とは一部が異なる。以下では、光照射装置１Ｃの光照射装置１とは異なる部材について主に説明し、共通する部材についての説明は省略または簡略化する。
【００３４】
光照射装置１Ｃは、図８に示すように、ヘッドホン部３Ｃに測温部１７を設ける。測温部１７は、被験者の体温を測定するセンサである。測温部１７は、たとえばヘッドホン部３Ｃの被験者の皮膚に当接する部分に取付けられて被験者の体温を測定することがよい。たとえば被験者の体温を安定的に測定するためには、被験者の耳穴に測温部１７を差込んで測定することがよい。この際、測温部１７が耳穴に差し込まれたことで被験者がスピーカ７の音を聞き取り難くならないように、測温部１７の径を耳穴の径よりも小さくするなどして耳穴を完全に塞がないようにすることが好ましい。
【００３５】
一般的に被験者は、覚醒度が高いほど体温が上昇する傾向にあることが知られている。そこで、光照射装置１Ｃの制御部１５Ｃは、測温部１７の測定結果に基づいて予定している光の照射終了時刻を変更するように制御することができる。たとえば、光照射装置１Ｃの制御部１５Ｃは、測温部１７の測定結果に基づいて予定している光の照射終了時刻よりも前であっても被験者の体温の上昇が確認された時点で光の照射を終了するように制御することができる。これによれば、被験者に必要以上の長時間にわたる光健康維持法を施すことを無くすことができる。反対に、光照射装置１Ｃの制御部１５Ｃは、測温部１７の測定結果に基づいて予定している光の照射終了時刻を過ぎても被験者の体温の上昇が確認されないときには、光の照射を延長するように制御することができる。これによれば、被験者に有効な光健康維持法を施すことができる。
【００３６】
（第五の実施の形態）
本発明の第五の実施の形態に係る光照射装置１Ｄについて、図９を参照しながら説明する。光照射装置１Ｄは、光照射装置１とは一部が異なる。以下では、光照射装置１Ｄの光照射装置１とは異なる部材について主に説明し、共通する部材についての説明は省略または簡略化する。
【００３７】
光照射装置１Ｄは、図９に示すように、ゴーグル部２Ｄに眼の開閉状態を検出する瞬きセンサ１８，１８を設ける。すなわち瞬きセンサ１８，１８は、被験者の瞼が閉じられているか否かを検出するセンサである。瞬きセンサ１８，１８の検出結果は、制御部１５Ｄに取り込まれる。
【００３８】
制御部１５Ｄでは、瞬きセンサ１８，１８の検出結果を受け取ると、光の照射開始からの被験者の瞼が閉じられている時間を積算する。制御部１５Ｄは、被験者の瞼が閉じられている積算時間分光の照射終了予定時刻を延長する。これによれば、被験者が実際に光の照射を眼に受けている実時間で光健康維持法の実施時間を設定することができるので、有効に光健康維持法を実施することができる。
【００３９】
また、被験者が光健康維持法の実施中に眠ってしまった場合には、瞬きセンサ１８，１８が所定時間以上の長い時間（たとえば数分間）にわたり閉眼状態を検出した状態になる。このような場合には、制御部１５Ｄは、警報を発出することで被験者を覚醒させる。これによれば、被験者に正しく光健康維持法を受けさせることができる。なお、ここで「警報を発出する」とは、たとえばヘッドホン部３により被験者Ｍに対し、大きめの音または強めの風などにより刺激を与えるようにしてもよい。また、送風孔１３の内側に香りの発生手段であるフェルトＦを有する場合には、香りによって被験者Ｍに刺激を与えてもよい。
【００４０】
（第六の実施の形態）
本発明の第六の実施の形態に係る光照射装置１Ｅ（不図示）について、図９を参照しながら説明する。光照射装置１Ｅは、光照射装置１Ｄとは一部が異なる。以下では、光照射装置１Ｅの光照射装置１Ｄとは異なる部材について主に説明し、共通する部材についての説明は省略または簡略化する。
【００４１】
光照射装置１Ｅは、図９に示す瞬きセンサ１８，１８を、眼球位置検出センサ１８Ｅ，１８Ｅ（不図示）に置き換えた構成である。さらに図９に示す照射部５，５を照射角度が可変の照射部５Ｅ，５Ｅ（不図示）に置き換えた構成である。また、制御部１５Ｄも制御内容が異なる制御部１５Ｅ（不図示)に置き換えられる。なお、照射部５Ｅ，５Ｅが照射角度を変えるには、たとえば光ファイバケーブル４，４をそれぞれ複数本ずつ配置し、ヘッドホン部３Ｅ（不図示）には、複数本ずつの光ファイバケーブル４，４に対応する複数ずつの光源６，６を配置し、照射部５Ｅ，５Ｅには、複数本ずつの光ファイバケーブル４，４の一端に接合され、互いに照射角度が異なる複数ずつの照射端を設ければよい。制御部１５Ｅ（不図示）は、複数ずつの光源６，６のいずれを点灯させるかを制御することにより照射部５Ｅ，５Ｅの照射角度を変えることができる。
【００４２】
これにより制御部１５Ｅは、眼球位置検出センサ１８Ｅ，１８Ｅの検出結果に基づいて照射部５Ｅ，５Ｅの照射角度を被験者の眼球に光が照射され易い角度に変更する。これによれば、被験者の眼球の位置が動いても被験者の眼球に効率良く光を照射させることができるので、被験者に正しく、かつ効率良く光健康維持法を受けさせることができる。
【００４３】
（その他の実施の形態）
本発明の実施の形態は、その要旨を逸脱しない範囲で様々に変更が可能である。たとえば、ゴーグル部２は、右目部と左目部とが連結されたものを例示したが、右目部と左目部とはそれぞれ独立していてもよい。これによれば、光照射装置１を持ち歩く（携帯する）際に、ゴーグル部２の右目部と左目部とを重ねて携行するなど、持ち運びの際の形態を小型化できる。また、携行に便利なように、ゴーグル部２とヘッドホン部３とは簡単に脱着できるように構成してもよいし、脱着後のゴーグル部２に、ヘッドホン部３に代えて、保持部の他の例として、耳または頭にかけてゴーグル部２を被験者の顔面に保持するための帯状または弦状の器具を設け、ゴーグル部２のみで光照射する構成としてもよい。あるいは、この器具の中に、光源６、スピーカ７、送風部８、ヒータ１１、または香りの発生手段であるフェルトＦのいずれか１つまたは複数を設けてもよい。また、リモコン操作部１２は有線式を例示したが無線式でもよい。
【００４４】
また、ヘッドホン部３に外部スピーカを接続可能としたり、照射部５をゴーグル部２から取り外して別置きの台上に設置可能とするなどとし、被験者が光照射装置１を装着せずに、卓上などに置いても使用可能な構成としてもよい。
【００４５】
また、ゴーグル部２のレンズについては透明でもよいし、サングラスでもよいし、度が入っていてもいなくてもよい。また、ゴーグル部２は、アイマスクのように視界が得られない形式のものであってもよい。ゴーグル部２をアイマスクのようなものとすることにより、ゴーグル部２の外部に一切光が漏れないようにすることができる。
【００４６】
また、ヘッドホン部３の形状については、例示した形状でなくてもよい。たとえば左右のスピーカ７を連結するバンド部を有さずに、２つのイヤホンから構成されてもよい。あるいは、ヘッドホン部３は、片耳だけにスピーカ７を有するものでもよい。なお、ヘッドホン部３は、外部に音が漏れないことが好ましい。また、送風部８、ヒータ１１、および送風孔１３については省略してもよい。
【００４７】
また、光ファイバケーブル４を有さずに、ゴーグル部２が直接的に光源６を有してもよい。この場合、光源６の電源については、ヘッドホン部３から電線を介して供給してもよいし、ゴーグル部２が光源６用の電池を別途内蔵してもよい。
【００４８】
また、制御部１５をリモコン操作部１２が有するように例示したが、制御部１５はヘッドホン部３またはゴーグル部２などに配置してもよい。
【００４９】
また、図８に示す測温部１７は、被験者の耳穴に差し込む方式としたが、被験者の顔の皮膚の温度など、被験者の耳穴以外の他の部位で体温を計測してもよい。また、被験者の体温の他にも被験者の脈拍数や皮膚電位など、その他の生体情報を取得するようにしてこれに基づき光健康維持法の実施工程を制御してもよい。なお、脈拍数は被験者の指などに測定器を装着すればよい。また、皮膚電位は、被験者のこめかみや胸部などに測定器を装着すればよい。
【００５０】
また、ゴーグル部２は、被験者Ｍの瞼の上方に照射部５を有すると説明したが、被験者Ｍの瞼の下方に照射部５を有してもよい。たとえば被験者Ｍが下を向いて作業をするような場合、被験者Ｍの瞼の下方に照射部５を有するようにする。このように、照射部５は着脱自在とし、ゴーグル部２の上方または下方のいずれの位置にも移動可能としてもよい。
【符号の説明】
【００５１】
１〜１Ｅ…光照射装置、２〜２Ｅ…ゴーグル部、３〜３Ｅ…ヘッドホン部（保持部）、４…光ファイバケーブル、５…照射部、６…光源、７…スピーカ（音を発生する手段）、８…送風部（風を発生する手段）、１１…ヒータ、１２…リモコン操作部（スイッチ）、１５〜１５Ｅ…制御部（制御手段）、１６Ａ，１６Ｂ，１６Ｃ…鏡、１７…測温部、１８…瞬きセンサ（眼の開閉状態検出手段、眼球位置検出手段）、Ｆ…フェルト（香りを発生する手段）
【図１】
2013236812.tif 000003
【図２】
2013236812.tif 000004
【図３】
2013236812.tif 000005
【図４】
2013236812.tif 000006
【図５】
2013236812.tif 000007
【図６】
2013236812.tif 000008
【図７】
2013236812.tif 000009
【図８】
2013236812.tif 000010
【図９】
2013236812.tif 000011